(57)【要約】【課題】おむつ替えが簡単で、お腹が出ることがなく、また、外観上格好もよく、しかも身長の伸びに対応することができる乳幼児用パンツスーツを得ること。【解決手段】上着１の後身頃４にパンツ５を一体的に接続した乳幼児用パンツスーツであって、上記パンツ５の股部８を縦方向に伸縮可能な布地によって形成するとともに、お腹を覆う前股上部１０を横方向に伸縮可能な布地によって形成した。【選択図】　図２
2004052133.tif 000002
【特許請求の範囲】
【請求項１】
上着の後身頃にパンツを一体的に接続した乳幼児用パンツスーツにおいて、上記パンツの股部を縦方向に伸縮可能な布地によって形成するとともに、お腹を覆う前股上部を横方向に伸縮可能な布地によって形成したことを特徴とする乳幼児用パンツスーツ。
【請求項２】
パンツの後股上部が上着の後身頃の下部により一体的に形成され、上記後股上部の下端縁に股部が後フラットシーマにより縫合され、その股部にお腹を覆う前股上部が前フラットシーマにより縫合されており、そのお腹を覆う前股上部の先端部を留め具により上着に着脱可能としたことを特徴とする、請求項１記載の乳幼児用パンツスーツ。
【請求項３】
上着の後身頃の内面には上記前股上部の先端部を装着する留め具が上下複数個設けられていることを特徴とする、請求項２記載の乳幼児用パンツスーツ。
【発明の詳細な説明】
【０００１】
【発明の属する技術分野】
本発明は、乳幼児用パンツスーツに係り、特に上着にパンツを一体的に接続した乳幼児用パンツスーツに関する。
【０００２】
【従来の技術及び発明が解決しようとする課題】
従来、乳幼児用スーツとしては、上半身を包む上着部と下半身を包むパンツがつなぎ合わせられた上下一体型のつなぎ服が市販されている。しかしながら、上記従来の上下一体型のつなぎ服は、外見上見栄えがよくないという考え方があり、上下に分かれたスーツの方が格好がよいと思う親が多く、６ヶ月前後の乳幼児にも上下の服を着せる傾向がある。
【０００３】
ところが、上下別々の服は、乳幼児が動くことによりパンツがずれ落ちてお腹が出易い等の問題があり、またおむつ替えが面倒である等の問題もある。そこで、上着部とパンツが一体型でありながらおむつ替えも容易であり、しかも外見上見栄えがよい乳幼児用パンツスーツも提案されている。
【０００４】
しかし、これらのものも上着部とパンツがつなぎ合わせられているため、身長の伸びが激しいこの年代の乳幼児に対しては頻繁に上のサイズのスーツに買い換える必要があり、経済的に不都合がある等の問題がある。
【０００５】
本発明は、このような点に鑑み、おむつ替えが簡単で、お腹が出ることがなく、また、外観上格好もよく、しかも身長の伸びに対応することができる乳幼児用パンツスーツを得ることを目的とする。
【０００６】
【課題を解決するための手段】
請求項１に係る発明は、上着の後身頃にパンツを一体的に接続した乳幼児用パンツスーツにおいて、上記パンツの股部を縦方向に伸縮可能な布地によって形成するとともに、お腹を覆う前股上部を横方向に伸縮可能な布地によって形成したことを特徴とする。
【０００７】
請求項２に係る発明は、請求項１に係る発明において、パンツの後股上部が上着の後身頃の下部により一体的に形成され、上記後股上部の下端縁に股部が後フラットシーマにより縫合され、その股部にお腹を覆う前股上部が前フラットシーマにより縫合されており、そのお腹を覆う前股上部の先端部を留め具により上着に着脱可能としたことを特徴とする。
【０００８】
また、請求項３に係る発明は、請求項２に係る発明において、上着の後身頃の内面には上記前股上部の先端部を装着する留め具が上下複数個設けられていることを特徴とする。
【０００９】
【発明の実施の形態】
以下、添付図面を参照して本発明の実施の形態について説明する。
【００１０】
図１は、本発明の乳幼児用パンツスーツの形状を示す図であり、上着１は前身頃２がその中央部から左右に分離されて前開きでき、それらを複数のホック等の留め具３で留めることができるようにしてある。
【００１１】
ところで、図２に示すように、上着１の後身頃４の下部にはパンツ５の後股上部６が一体的に形成されている。すなわち、後身頃４の下部にはその後身頃４と連続して同一布地により後股上部６が形成されている。上記後股上部６の下縁部には後フラットシーマ７によりパンツの股部８が縫合されており、さらにその股部８の先端に前フラットシーマ９によりお腹を覆う前股上部１０が縫合されている。そして、上記お腹を覆う前股上部１０の先端部左右に、後身頃４の内面左右に設けられた上下複数段のホック等の留め具１１と選択的に係合する留め具１２が設けられている。
【００１２】
ところで、上記股部８は布地の目が横方向に向き縦方向に伸縮可能な布地により形成されている。一方、お腹を覆う前股上部１０は布地の目が縦方向に向き横方向に伸縮可能な布地により形成されている。
【００１３】
しかして、乳幼児に上記スーツを着用させる場合には、図２に示すように、前身頃２を左右に開いた後、留め具１２を後身頃４に取り付けられている留め具１１から外し、パンツ５の股部８及び前股上部１０を後身頃４と同一平面状に拡げ、その上に乳幼児を寝かせた後、図３に示すように、お腹を覆う前股上部１０を上方に折り曲げ、乳幼児の身長に応じて前股上部１０の留め具１２を後身頃４の上下の留め具１１に選択的に係合し、パンツ５を上着１に固着する。そして、その後左右の前身頃２の留め具３を留めることにより、スーツの着用を行うことができる。
【００１４】
このように、このスーツにおいては前身頃２が左右に前開きできるので、乳幼児への着用が容易であり、着用と同様にしておむつの取り替えも極めて容易に行うことができる。また、着用した場合には、パンツ５が上着１につなぎ合わせられるので乳幼児が動いてもパンツがずれるようなことがなく、お腹が出るようなこともない。しかも、図１に示すように前身頃２の下部がパンツ部の前面側を覆う形になるので、前から見た場合には上下別ピースの服を着ているように見え、外観上の見栄えもよくすることができる。
【００１５】
さらに、パンツの股部８が布地の目が横方向に向き縦方向に伸縮可能な布地により形成され、お腹を覆う前股上部１０が布地の目が縦方向に向き横方向に伸縮可能な布地により形成されているので、乳幼児の身長が伸びた場合にも後身頃４の上下の留め具１１の選択的な使用ばかりでなく、上記股部の縦方向の伸縮によって、より柔軟に対応でき、体格が大きくなっても前股上部１０の横方向の伸縮によって対応できる。
【００１６】
図４及び図５は本発明の他の実施の形態を示す図であり、左右の前身頃２が大きく重なり合うようにしてある。そして、左右の前身頃２が面ファスナ１３により着脱可能としてある。その場合、図５に示すように、内側の前身頃２の面ファスナ１３は横長に形成されている。
【００１７】
このように、この実施の形態においては左右の前身頃２が大きく重なり合うようにしてあるので、乳幼児が大きく動いた場合にも前身頃２が開くようなことがなく、見栄えをよくすることができ、しかも、図５に示すように、内側の前身頃２の面ファスナ１３を横長に形成することと併せて、乳幼児の大きさにも自由に対応させることができる。
【００１８】
【発明の効果】
以上説明したように、本発明は、上着部につなぎ合わせられたパンツの股部を縦方向に伸縮可能な布地によって形成するとともに、腹部を覆う前股上部を横方向に伸縮可能な布地によって形成したので、乳幼児の身長の伸び及び体格の変化に対応でき、頻繁に上のサイズのものに買い換える必要がなく、経済的に使用できる等の効果を奏する。
【図面の簡単な説明】
【図１】本発明の乳幼児用パンツスーツの正面図。
【図２】本発明の乳幼児用パンツスーツの前身頃及びパンツ部を開いた状態を示す図。
【図３】図２に示す状態からパンツの前股上部を上方に折り畳んだ状態を示す図。
【図４】本発明の他の実施の形態を示す正面図。
【図５】図４に示すパンツスーツの前身頃の留め具を外した状態を示す図。
【符号の説明】
１　上着
２　前身頃
３　留め具
４　後身頃
５　パンツ
６　後股上部
７　後フラットシーマ
８　股部
９　前フラットシーマ
１０　前股上部
１１、１２　留め具
【図１】
2004052133.tif 000003
【図２】
2004052133.tif 000004
【図３】
2004052133.tif 000005
【図４】
2004052133.tif 000006
【図５】
2004052133.tif 000007